(57)【要約】【課題】制御装置本体の前面を覆う扉を分割し、上側の扉を回動することにより開放される上部回動扉とし、下側の扉をスライドと回動の両方により開放される下部スライド扉兼回動扉としたエレベータ制御装置を得る。【解決手段】機械室レスエレベータの昇降路上方に設けられたエレベータ制御装置本体１と、制御装置本体前面の上半部を覆い、通常の保守時にはエレベータかご上の安全柵と干渉しない位置に設けられ、回動することにより制御装置本体前面の上半部を開放する上部回動扉２と、制御装置本体前面の下半部を覆い、通常の保守時にはエレベータかご上の安全柵と干渉する位置に設けられて、下方向にスライドすることにより制御装置本体前面の下半部を開放し、かつ保守時に安全柵と干渉しない場合は回動することにより制御装置本体前面の下半部を開放する下部スライド扉兼回動扉３とを備える。【選択図】図１
2007106512.tif 000002
【特許請求の範囲】
【請求項１】
機械室レスエレベータの昇降路上方に設けられたエレベータ制御装置本体と、
前記制御装置本体前面の上半部を覆い、通常の保守時にはエレベータかご上の安全柵と干渉しない位置に設けられ、回動することにより前記制御装置本体前面の上半部を開放する上部回動扉と、
前記制御装置本体前面の下半部を覆い、通常の保守時にはエレベータかご上の安全柵と干渉する位置に設けられて、下方向にスライドすることにより前記制御装置本体前面の下半部を開放し、かつ保守時に前記安全柵と干渉しない場合は回動することにより前記制御装置本体前面の下半部を開放する下部スライド扉兼回動扉と、
を備えたことを特徴とするエレベータ制御装置。
【請求項２】
機械室レスエレベータの昇降路上方に設けられたエレベータ制御装置本体と、
前記制御装置本体前面の上半部を覆い、通常の保守時にはエレベータかご上の安全柵と干渉しない位置に設けられ、回動することにより前記制御装置本体前面の上半部を開放する上部回動扉と、
前記制御装置本体前面の下半部を覆い、通常の保守時にはエレベータかご上の安全柵と干渉する位置に設けられて、下方向にスライドすることにより前記制御装置本体前面の下半部を開放し、かつ保守時に前記安全柵と干渉しない場合は回動することにより前記制御装置本体前面の下半部を開放する下部スライド扉兼回動扉とを備え、
前記下部スライド扉兼回動扉は、先ず前方向に移動させてから下方向にスライドさせて開放されるものであることを特徴とするエレベータ制御装置。
【請求項３】
エレベータ制御装置本体を上下方向に複数個積み重ねたことを特徴とする請求項２記載のエレベータ制御装置。
【請求項４】
下部スライド扉兼回動扉は、下方向にスライドさせて引き降ろした場合に、制御装置本体と互いに係合して脱落を防止する機構を備えたことを特徴とする請求項１〜請求項３のいずれかに記載のエレベータ制御装置。
【発明の詳細な説明】
【技術分野】
【０００１】
この発明は、機械室レスエレベータに用いられるエレベータ制御装置の構造に関するものである。
【背景技術】
【０００２】
従来、機械室のない機械室レスエレベータにおいては、昇降路内上部に制御装置が設置される場合が多いため、制御装置の保守・点検・調整作業時には、保守員はエレベータのかごの上に乗ってかご上作業を行っている。この時、かご上には、落下防止用として安全柵が設置されているため、制御装置の扉（カバー、蓋）を開けるなどの場合に安全柵がかご上作業時に邪魔になり、制御装置の保守・点検・調整作業が効率良く進まないという問題があった。近年の機械室レスエレベータでは、建築コストの費用削減の観点から、特に昇降路断面積の有効利用が強く要求されている。このため、制御装置の開発においては、昇降路断面積に関連する、幅と奥行きに関する寸法制限が厳しくなっていることから、制御装置の幅は小さく、奥行きは薄くという寸法への要求が高い。この結果、必然的に制御装置の長さが長くなるという傾向にある。
このような長さが長い制御装置の保守・点検・調整作業時、すなわち、かご上作業時には、前述の安全柵が特に邪魔になり、一層作業効率を落とす原因となっていた。
なお、昇降路内上部に設置された制御装置をかご上から保守・点検するものは、数多く提案されている（例えば、特許文献１参照）。
【０００３】
【特許文献１】特開２００１−３４１９５０号公報
【発明の開示】
【発明が解決しようとする課題】
【０００４】
従来の機械室レスエレベータの制御装置では、かご上作業時に安全柵が邪魔にならないように制御装置を横長の形状とし、保守面へアクセスできる構造としている。しかし、上述のように、昇降路断面積の有効利用や制御装置の実装の関係で昇降路上部に縦長の制御装置を設置したい場合には、安全柵に邪魔されないようにするために、図１３〜図１６に示すように、制御装置の扉を上下方向にスライドできる構造にしている。
図１３はスライド扉付きのエレベータ制御装置の構造を示す正面図及び底面図、図１４は制御装置のスライド扉とかご上の安全柵が干渉している状態を示す側面図、図１５は制御装置のスライド扉を下方にスライドさせた状態を示す正面図、図１６は制御装置のスライド扉とかご上の安全柵が干渉していない状態を示す側面図である。図において、１１は機械室レスエレベータの昇降路上方に設けられた制御装置本体、１２は制御装置本体１の前面上半部を覆い、水平に回動させることにより開放される上部回動扉、１３は制御装置本体１の前面下半部を覆い、下方にスライドさせることにより開放される下部スライド扉、１４は機械室レスエレベータのかご、１５はかご上に設けられた安全柵である。図１４、図１６に示す通常の保守位置では、かご１４上の安全柵１５と干渉しない制御装置本体１１の前面上半部に設けられた上部回動扉１２は、水平に回動させることにより開放できるが、制御装置本体１１の前面下半部に設けられた下部スライド扉１３は、図１４に示すように、安全柵１５と重なるため、図１５、図１６に示すように、下方にスライドすることにより重なる部分を開放して保守を可能としている。
しかし、このように制御装置の下部扉をスライド構造にした場合は、安全柵が邪魔にならない位置にある場合でも、下部扉をスライドさせて開放させる必要がある。更に、制御装置を上下方向に複数個積み重ねて配置した場合には、上に位置する制御装置のスライド扉が、下に位置する制御装置と干渉するため、下部扉をスライド構造にすることに問題点がある。
【０００５】
この発明は上記のような課題を解決するためになされたもので、制御装置本体の前面を覆う扉を分割し、上側の扉を回動することにより開放される上部回動扉とし、下側の扉をスライドと回動の両方により開放される下部スライド扉兼回動扉としたエレベータ制御装置を提供することを目的とする。
【課題を解決するための手段】
【０００６】
この発明に係るエレベータ制御装置においては、機械室レスエレベータの昇降路上方に設けられたエレベータ制御装置本体と、制御装置本体前面の上半部を覆い、通常の保守時にはエレベータかご上の安全柵と干渉しない位置に設けられ、回動することにより制御装置本体前面の上半部を開放する上部回動扉と、制御装置本体前面の下半部を覆い、通常の保守時にはエレベータかご上の安全柵と干渉する位置に設けられて、下方向にスライドすることにより制御装置本体前面の下半部を開放し、かつ保守時に安全柵と干渉しない場合は回動することにより制御装置本体前面の下半部を開放する下部スライド扉兼回動扉とを備えたものである。
【０００７】
また、下部スライド扉兼回動扉は、先ず前方向に移動させてから下方向にスライドさせて開放されるものである。
【０００８】
更にまた、エレベータ制御装置本体を上下方向に複数個積み重ねたものである。
【発明の効果】
【０００９】
この発明によれば、保守時に下部スライド扉兼回動扉がかご上の安全柵と干渉しない位置にある場合は、下部スライド扉兼回動扉をスライドさせずに、上部回動扉と同様に回動することにより制御装置本体前面の下半部を開放して保守を可能にすることができる。上方に位置するエレベータ制御装置の下部スライド扉兼回動扉を、下方に位置するエレベータ制御装置の外形に干渉しない位置まで引き出し、その後引き降ろすことにより、エレベータ制御装置を積み重ねた状態でのレイアウトが可能となる。
【発明を実施するための最良の形態】
【００１０】
実施の形態１.
図１はこの発明の実施の形態１におけるエレベータ制御装置の構造を示す斜視図、図２はこの発明の実施の形態１におけるエレベータ制御装置の構造を示す平面図、図３は制御装置の前面下半部を覆う扉を前方向へ移動させた状態を示す概略斜視図、図４は制御装置の前面下半部を覆う扉を下方へスライドさせた状態を示す概略斜視図、図５は制御装置の前面を覆う上下２つの扉の構造を示す概略斜視図、図６は制御装置の前面を覆う上下２つの扉を回動させて開放した状態を示す概略斜視図である。
【００１１】
図において、１は機械室レスエレベータの昇降路上方に設けられた制御装置本体、２は制御装置本体１前面の上半部を覆う上部回動扉で、その一端部が制御装置本体１に蝶番等からなる連結固定具３により結合されている。この上部回動扉２は、通常の保守時にはかご上の安全柵（図示せず）と干渉しない位置に設けられているので、回動展開を妨げられることなく、水平方向に回動することにより制御装置本体１前面の上半部を開放することができる。４は制御装置本体１の前面下半部を覆う下部スライド扉兼回動扉である。この下部スライド扉兼回動扉４は、通常の保守時にはかご上の安全柵（図示せず）と干渉する位置に設けられているので、回動展開を妨げられ回動により制御装置本体１前面の下半部を開放することができない。したがって、スライド扉として下方向にスライドすることにより制御装置本体１前面の下半部を開放して保守を可能とする。なお、下部スライド扉兼回動扉４の位置が、通常の保守時と異なり、かご上の安全柵と干渉しない位置に来ることも考えられる。このような場合は、下部スライド扉兼回動扉４をスライドさせずに、上部回動扉２と同様に水平方向に回動することにより制御装置本体１前面の下半部を開放することができる。
上記下部スライド扉兼回動扉４は、制御装置本体１の前面下半部を覆う回動展開部分４ａと、制御装置本体１下半部の両側面外側に設けられ、下部スライド扉兼回動扉４の上下方向の動きを外側から拘束規制する外側部ユニット４ｂと、制御装置本体１下半部の両側面内側に設けられかつ外側部ユニット４ｂと制御装置本体１の前面で結合され、下部スライド扉兼回動扉４の上下方向の動きを内側から拘束規制する内側部ユニット４ｃと、上記回動展開部分４ａの一側端を一方の外側部ユニット４ｂに回動可能に結合する蝶番等からなる連結固定具４ｄと、上記回動展開部分４ａの両側端を貫通して外側部ユニット４ｂを上記制御装置本体１に固定するつまみネジ等からなる固定具４ｅと、外側部ユニット４ｂを貫通して上記回動展開部分４ａ他側端を内側部ユニット４ｃに固定するつまみネジ等からなる固定具４ｆとから構成されている。なお、上記固定具４ｅは、回動展開部分４ａが回動展開される状態において、回動展開部分４ａの動きを拘束しないような貫通穴を貫通するものである。また、制御装置本体１下半部の両側部の外側面と下部スライド扉兼回動扉４の外側部ユニット４ｂの内側面とは、保守時に下部スライド扉兼回動扉４を前方向へ移動できるような嵌合構造となっている。
【００１２】
次に、この発明によるエレベータ制御装置の保守時における扉の開き方について、図３〜図６により説明する。
図３は制御装置本体１前面の下半部を覆う下部スライド扉兼回動扉４を前方向へ移動させた状態を示している。図４は図３により前方向へ移動させてから下部スライド扉兼回動扉４を更に下方向へスライドさせた状態を示している。これにより、通常の保守時にかご上の安全柵（図示せず）と干渉する位置に設けられている場合でも、制御装置本体１前面の下半部を開放して保守を可能にすることができる。また、図５は制御装置本体１前面の上半部を覆う上部回動扉２及び下半部を覆う下部スライド扉兼回動扉４を閉じた状態を示している。図６は制御装置本体１前面の上半部を覆う上部回動扉２及び下半部を覆う下部スライド扉兼回動扉４を回動展開して開放した状態を示している。これにより、保守時に下部スライド扉兼回動扉４がかご上の安全柵（図示せず）と干渉しない位置にある場合は、下部スライド扉兼回動扉４をスライドさせずに、上部回動扉２と同様に回動することにより制御装置本体１前面の下半部を開放して保守を可能にすることができる。
【００１３】
このように構成されたエレベータ制御装置においては、下部スライド扉兼回動扉４の動きを拘束する部分を、制御装置本体１の外側に設けることにより、制御装置本体１内の内部の実装効率を低下させない構造となる。なお、制御装置を上下方向に複数個積み重ねて配置する場合には、この構造を用いる。
【００１４】
実施の形態２.
図７はこの発明の実施の形態２におけるエレベータ制御装置を２個積み重ねた状態を示す斜視図である。
この実施の形態２においては、実施の形態１に示す構造のエレベータ制御装置を上下方向に２個積み重ねたものである。これにより、上方に位置するエレベータ制御装置の下部スライド扉兼回動扉４を、下方に位置するエレベータ制御装置の外形に干渉しない位置まで引き出し、その後引き降ろすことにより、エレベータ制御装置を積み重ねた状態でのレイアウトが可能となる。
【００１５】
実施の形態３.
図８はこの発明の実施の形態３におけるエレベータ制御装置の構造を示す平面図である。なお、実施の形態１と同一又は相当部分は同一符号を付してあるので、詳細な説明は省略する。
上記実施の形態１では、下部スライド扉兼回動扉４の動きを拘束する部分を、制御装置本体１の外側に設けたが、この実施の形態３においては、下部スライド扉兼回動扉４の動きを拘束する部分を、制御装置本体１の内側に設けたものである。また、制御装置本体１下半部の両側部の内側面と下部スライド扉兼回動扉４の内側部ユニット４ｃの外側面とは、保守時に下部スライド扉兼回動扉４を前方向へ移動できるような嵌合構造となっている。この構造を用いることにより、エレベータの運用時に制御装置と他の機器との物理的な干渉を無くすことにより、昇降路内の空間を有効に活用することが可能となる。すなわち、制御装置の昇降路投影面積を、制御装置の実有効外形内に収納できることにより実現される。なお、制御装置を上下方向に複数個積み重ねて配置する場合には、この構造は適用されない。
【００１６】
実施の形態４.
図９はこの発明の実施の形態４におけるエレベータ制御装置の構造を示す平面図、図１０は図９の要部構造を示す拡大斜視図、図１１は図１０の要部断面図である。なお、実施の形態１と同一又は相当部分は同一符号を付してあるので、詳細な説明は省略する。
この実施の形態３では、下部スライド扉兼回動扉４の動きを拘束する部分を、制御装置本体１の外側に設けた実施の形態１のエレベータ制御装置において、下部スライド扉兼回動扉４を引き降ろした場合に、下部スライド扉兼回動扉４の脱落を防止する機構を追加したものである。１ａは制御装置本体１の両側下端部に設けられた引っ掛り用突起、４ｇは下部スライド扉兼回動扉４を引き降ろした場合に、上記引っ掛り用突起１ａと係合して上記下部スライド扉兼回動扉４の脱落を防止する係合部である。この脱落防止機構を用いることにより、下部スライド扉兼回動扉４を引き降ろした場合でも、下部スライド扉兼回動扉４が脱落する恐れがない。
【００１７】
実施の形態５.
図１２はこの発明の実施の形態５におけるエレベータ制御装置の構造を示す平面図である。なお、実施の形態４と同一又は相当部分は同一符号を付してあるので、詳細な説明は省略する。
上記実施の形態４では、下部スライド扉兼回動扉４の動きを拘束する部分を、制御装置本体１の外側に設けた実施の形態１のエレベータ制御装置において、下部スライド扉兼回動扉４を引き降ろした場合に、下部スライド扉兼回動扉４の脱落を防止する構造を追加したが、この実施の形態５においては、下部スライド扉兼回動扉４の動きを拘束する部分を、制御装置本体１の内側に設けた実施の形態３のエレベータ制御装置において、下部スライド扉兼回動扉４を引き降ろした場合に、下部スライド扉兼回動扉４の脱落を防止する機構を追加したものである。この脱落防止機構を用いることにより、下部スライド扉兼回動扉４を引き降ろした場合でも、下部スライド扉兼回動扉４が脱落する恐れがなく、またエレベータの運用時に制御装置と他の機器との物理的な干渉を無くすことにより、昇降路内の空間を有効に活用することが可能となる。すなわち、制御装置の昇降路投影面積を、制御装置の実有効外形内に収納できることにより実現される。なお、制御装置を上下方向に複数個積み重ねて配置する場合には、この構造は適用されない。
【図面の簡単な説明】
【００１８】
【図１】この発明の実施の形態１におけるエレベータ制御装置の構造を示す斜視図である。
【図２】この発明の実施の形態１におけるエレベータ制御装置の構造を示す平面図である。
【図３】制御装置の前面下半部を覆う扉を前方向へ移動させた状態を示す概略斜視図である。
【図４】制御装置の前面下半部を覆う扉を下方へスライドさせた状態を示す概略斜視図である。
【図５】制御装置の前面を覆う上下２つの扉の構造を示す概略斜視図である。
【図６】制御装置の前面を覆う上下２つの扉を回動させて開放した状態を示す概略斜視図である。
【図７】この発明の実施の形態２におけるエレベータ制御装置を２個積み重ねた状態を示す斜視図である。
【図８】この発明の実施の形態３におけるエレベータ制御装置の構造を示す平面図である。
【図９】この発明の実施の形態４におけるエレベータ制御装置の構造を示す平面図である。
【図１０】図９の要部構造を示す拡大斜視図である。
【図１１】図１０の要部断面図である。
【図１２】この発明の実施の形態５におけるエレベータ制御装置の構造を示す平面図である。
【図１３】スライド扉付きのエレベータ制御装置の構造を示す正面図及び底面図である。
【図１４】制御装置のスライド扉とかご上の安全柵が干渉している状態を示す側面図である。
【図１５】制御装置のスライド扉を下方にスライドさせた状態を示す正面図である。
【図１６】制御装置のスライド扉とかご上の安全柵が干渉していない状態を示す側面図である。
【符号の説明】
【００１９】
１  エレベータ制御装置本体
１ａ  引っ掛り用突起（脱落防止機構）
２  上部回動扉
３、４ｄ  連結固定具（蝶番）
４  下部スライド扉兼回動扉
４ａ  回動展開部分
４ｂ  外側部ユニット
４ｃ  内側部ユニット
４ｅ、４ｆ  固定具（つまみネジ）
４ｇ  係合部（脱落防止機構）
１１  エレベータ制御装置本体
１２  上部回動扉
１３  下部スライド扉
１４  エレベータのかご
１５  安全柵
【図１】
2007106512.tif 000003
【図２】
2007106512.tif 000004
【図３】
2007106512.tif 000005
【図４】
2007106512.tif 000006
【図５】
2007106512.tif 000007
【図６】
2007106512.tif 000008
【図７】
2007106512.tif 000009
【図８】
2007106512.tif 000010
【図９】
2007106512.tif 000011
【図１０】
2007106512.tif 000012
【図１１】
2007106512.tif 000013
【図１２】
2007106512.tif 000014
【図１３】
2007106512.tif 000015
【図１４】
2007106512.tif 000016
【図１５】
2007106512.tif 000017
【図１６】
2007106512.tif 000018